(57)【要約】    【課題】カメラを有する子機とモニタを有する親機との間で音声信号を送受信させて通話を行うにあたり、スピーカからマイクへの音声信号の電気的な帰還量を軽減してハウリング特性の向上を図り通話品質を高めるとともに、回路構成の簡素化を図る。    【解決手段】子機１ａの子機マイク１０１に入力された子機音声信号および親機２ａの親機マイク２０１に入力された親機音声信号のうち、子機音声信号のみ子機のカメラ１００にて撮像された映像信号の水平同期信号をキャリアとしたＤＳＢ変調波を親機へ送信する一方、親機音声信号はベースバンド方式により子機へ送信される。また、子機からＤＳＢ変調して送信されてくる子機音声変調信号を親機にて復調するにあたり、この復調はダイレクト・コンバージョン方式を使用して行う。  【選択図】図１
2007235411.tif 000002
【特許請求の範囲】
【請求項１】
子機（１ａ）のカメラ（１００）にて撮像された映像信号を親機（２ａ）のモニタ（２００）に出画し、前記子機の子機マイク（１０１）および子機スピーカ（１０２）と前記親機の親機マイク（２０１）および親機スピーカ（２０２）との間で音声信号を送受信させて通話を行うテレビドアホン装置であって、
前記子機は、前記映像信号を映像変調信号に変調して前記親機に送信するための映像変調回路（１０３）と、前記子機マイクに入力された子機音声信号と前記映像信号の水平同期信号とを掛け算処理し、前記水平同期信号をキャリアとしたＤＳＢ変調波で前記子機音声信号を前記親機に送信するための子機音声変調回路（１０６）とを備え、
前記親機は、前記子機から送信されてきた前記映像変調信号を前記映像信号に復調するための映像復調回路（２０３）と、前記復調された映像信号から前記水平同期信号を分離するための同期分離回路（２０４）と、前記ＤＳＢ変調波と前記同期分離回路にて分離された水平同期信号とを掛け算処理して復調するための親機音声復調回路（２０７）と、前記親機音声復調回路の出力信号の高周波成分を除去して前記子機音声信号を前記親機スピーカに送出するための親機フィルタ（２０８）とを備えたことを特徴とするテレビドアホン装置。
【請求項２】
子機（１ｂ）のカメラ（１００）にて撮像された映像信号を親機（２ｂ）のモニタ（２００）に出画し、前記子機の子機マイク（１０１）および子機スピーカ（１０２）と前記親機の親機マイク（２０１）および親機スピーカ（２０２）との間で音声信号を送受信させて通話を行うテレビドアホン装置であって、
前記子機は、前記映像信号を映像変調信号に変調して前記親機に送信するための映像変調回路（１０３）を備え、
前記親機は、前記子機から送信されてきた前記映像変調信号を前記映像信号に復調するための映像復調回路（２０３）と、前記復調された映像信号から水平同期信号を分離するための同期分離回路（２０４）と、前記親機マイクに入力された親機音声信号と前記同期分離回路にて分離された水平同期信号とを掛け算処理し、前記水平同期信号をキャリアとしたＤＳＢ変調波で前記親機音声信号を前記子機に送信するための親機音声変調回路（２１０）とを備え、
前記子機は、前記ＤＳＢ変調波と前記映像信号の水平同期信号とを掛け算処理して復調するための子機音声復調回路（１０９）と、前記子機音声復調回路の出力信号の高周波成分を除去して前記親機音声信号を前記子機スピーカに送出するための子機フィルタ（１１０）とを備えたことを特徴とするテレビドアホン装置。
【発明の詳細な説明】
【技術分野】
【０００１】
本発明はテレビドアホン装置に係り、特に、カメラを有する子機とモニタを有する親機との間で音声信号を送受信させて通話を行うにあたり、良好な通話品質を確保することができるテレビドアホン装置に関する。
【背景技術】
【０００２】
従来から、室内親機とカメラ付玄関子機との間の通話をベースバンドによる音声信号と、変調された音声信号で行うにあたり、コイル、コンデンサ、抵抗で構成されたＢＰＦ、ＨＰＦ、ＬＰＦ等の特性条件が緩やかなテレビインターホン装置が開示されている（例えば、特許文献１を参照。）。
【０００３】
【特許文献１】特開平６−１９７３４８号公報（段落番号「００１７」乃至「００３２」、第１図、第２図）
【発明の開示】
【発明が解決しようとする課題】
【０００４】
背景技術に記載した特許文献１のテレビインターホン装置によれば、室内親機とカメラ付玄関子機との間の通話で行うにあたり送受信される音声信号は、双方向でベースバンドによって伝送されるため、室内親機の構成各部／回路が有する位相とカメラ付玄関子機の構成各部／回路が有する位相とにずれが発生すると、スピーカからマイクへの音声信号の電気的な帰還量が増大してハウリングの原因となり、良好な通話品質を確保できない虞があった。
【０００５】
本発明は、この難点を解消するためになされたもので、カメラを有する子機とモニタを有する親機との間で音声信号を送受信させて通話を行うにあたり、スピーカからマイクへの音声信号の電気的な帰還量を軽減してハウリング特性の向上を図り通話品質を高めるとともに、回路構成の簡素化を図ることができるテレビドアホン装置を提供することを目的としている。
【課題を解決するための手段】
【０００６】
前述の目的を達成するため、本発明の第１の態様であるテレビドアホン装置は、子機のカメラにて撮像された映像信号を親機のモニタに出画し、子機の子機マイクおよび子機スピーカと親機の親機マイクおよび親機スピーカとの間で音声信号を送受信させて通話を行うものである。子機は、映像信号を映像変調信号に変調して親機に送信するための映像変調回路と、子機マイクに入力された子機音声信号と映像信号の水平同期信号とを掛け算処理し、水平同期信号をキャリアとしたＤＳＢ（Double side band）変調波で子機音声信号を親機に送信するための子機音声変調回路とを備えたものである。親機は、子機から送信されてきた映像変調信号を映像信号に復調するための映像復調回路と、復調された映像信号から水平同期信号を分離するための同期分離回路と、ＤＳＢ変調波と同期分離回路にて分離された水平同期信号とを掛け算処理して復調するための親機音声復調回路と、親機音声復調回路の出力信号の高周波成分を除去して子機音声信号を親機スピーカに送出するための親機フィルタとを備えたものである。
【０００７】
また、本発明の第２の態様であるテレビドアホン装置は、子機のカメラにて撮像された映像信号を親機のモニタに出画し、子機の子機マイクおよび子機スピーカと親機の親機マイクおよび親機スピーカとの間で音声信号を送受信させて通話を行うものである。子機は、映像信号を映像変調信号に変調して親機に送信するための映像変調回路を備えたものである。親機は、子機から送信されてきた映像変調信号を映像信号に復調するための映像復調回路と、復調された映像信号から水平同期信号を分離するための同期分離回路と、親機マイクに入力された親機音声信号と同期分離回路にて分離された水平同期信号とを掛け算処理し、水平同期信号をキャリアとしたＤＳＢ変調波で親機音声信号を子機に送信するための親機音声変調回路とを備えたものである。子機は、ＤＳＢ変調波と映像信号の水平同期信号とを掛け算処理して復調するための子機音声復調回路と、子機音声復調回路の出力信号の高周波成分を除去して親機音声信号を子機スピーカに送出するための子機フィルタとを備えたものである。
【発明の効果】
【０００８】
本発明のテレビドアホン装置によれば、カメラを有する子機とモニタを有する親機との間で音声信号を送受信させて通話を行うにあたり、子機の子機マイクに入力された音声信号および親機の親機マイクに入力された音声信号のうち、何れか一方の音声信号のみがカメラにて撮像される映像信号の水平同期信号をキャリアとしたＤＳＢ変調により伝送されるため、子機スピーカから子機マイクへの音声信号の電気的な帰還量、または親機スピーカから親機マイクへの音声信号の電気的な帰還量が軽減されてハウリング特性が向上し、良好な通話品質を確保することができる。また、ダイレクト・コンバージョン方式を使用して音声信号（音声変調信号）の復調が行われるため、一般のＤＳＢ変調波の復調の際に必要とされるキャリア再生回路が不要となり、回路構成を簡素化することができる。
【発明を実施するための最良の形態】
【０００９】
以下、本発明のテレビドアホン装置を適用した最良の実施の形態例について、図面を参照して説明する。
【００１０】
図１は、本発明の第１の実施例によるテレビドアホン装置の具体的な構成を示すブロック図である。
【００１１】
図１に示すテレビドアホン装置には、住戸外、例えば、住戸玄関に設置された子機１ａと、伝送線路Ｌ1aを経由して子機１ａに接続される住戸内に設置された親機２ａとが設けられている。
【００１２】
また、子機１ａには、カメラ１００、マイク（以下、子機マイクという。）１０１、スピーカ（以下、子機スピーカという。）１０２、映像変調回路１０３、マイクアンプ（以下、子機マイクアンプという。）１０４、スピーカアンプ（以下、子機スピーカアンプという。）１０５、音声変調回路（以下、子機音声変調回路という。）１０６、インターフェース（以下、子機Ｉ／Ｆという。）１０７が備えられている。
【００１３】
なお、子機１ａは、前述の構成各部／回路の他に、通常、住戸玄関に居る人物、例えば、来訪者が住戸内に在室中の居住者を呼び出すための呼出機能（図示せず。）と、親機２ａから給電されてくる直流電源を受電し、待受電源または動作電源として当該子機の構成各部／回路にそれぞれ電源供給するための電源機能（図示せず。）とを有している。
【００１４】
この子機１ａにおいて、カメラ１００は、呼出機能を能動にした来訪者の映像や住戸玄関先の周囲近傍の映像（監視映像を含む。）を撮像するためのものである。また、カメラ１００としては、ＣＣＤ（Charge Coupled Devices）、ＣＭＯＳ（Complementary Metal Oxide Semiconductor）等の各種の撮像素子が好適とされる。
【００１５】
子機１ａの子機マイク１０１および子機スピーカ１０２は、来訪者が居住者との間で通話を成立させるにあたり、通話音声（送話音声、受話音声）を入出力するためのものである。
【００１６】
子機１ａの映像変調回路１０３は、カメラ１００にて撮像された映像であり電気信号に信号処理された映像信号を映像変調信号に変調、例えば、ＦＭ（Frequency Modulation）変調するためのものである。
【００１７】
子機１ａの子機マイクアンプ１０４は、子機マイク１０１に入力された通話音声（送話音声）であり電気信号に信号処理された音声信号（以下、子機音声信号という。）を増幅するためのものである。
【００１８】
子機１ａの子機スピーカアンプ１０５は、子機スピーカ１０２から出力させる通話音声（受話音声）であり子機Ｉ／Ｆ１０７を経由して送信されてくる親機２ａからの音声信号（以下、親機音声信号という。）を増幅するためのものである。
【００１９】
子機１ａの子機音声変調回路１０６は、子機マイク１０１に入力され、子機マイクアンプ１０４を経由して増幅された通話音声（送話音声）である子機音声信号とカメラ１００にて撮像された映像である映像信号から分離した水平同期信号とを掛け算処理し、当該水平同期信号をキャリアとしたＤＳＢ変調波で、子機音声信号を子機音声変調信号に変調するためのものである。
【００２０】
子機１ａの子機Ｉ／Ｆ１０７は、映像変調回路１０３から伝送線路Ｌ1aへの映像変調信号の伝送ライン、伝送線路Ｌ1aから子機スピーカアンプ１０５への親機音声信号の伝送ライン、子機音声変調回路１０６から伝送線路Ｌ1aへの子機音声変調信号の伝送ラインをそれぞれ形成するためのものである。
【００２１】
さらに、親機２ａには、モニタ２００、マイク（以下、親機マイクという。）２０１、スピーカ（以下、親機スピーカという。）２０２、映像復調回路２０３、同期分離回路２０４、マイクアンプ（以下、親機マイクアンプという。）２０５、スピーカアンプ（以下、親機スピーカアンプという。）２０６、音声復調回路（以下、親機音声復調回路という。）２０７、フィルタ（以下、親機フィルタという。）２０８、インターフェース（以下、親機Ｉ／Ｆという。）２０９が備えられている。
【００２２】
なお、親機２ａは、前述の構成各部／回路の他に、通常、来訪者からの呼び出しを居住者に報知するための呼出報知機能（図示せず。）と、この呼び出しを確認した居住者が応答するための応答機能（図示せず。）と、商用電源（ＡＣ１００Ｖ）を整流／平滑させた直流電源を生成し、当該親機の構成各部／回路および子機１ａの構成各部／回路にそれぞれ電源供給するための電源機能（図示せず。）とを有している。
【００２３】
この親機２ａにおいて、モニタ２００は、子機１ａのカメラ１００にて撮像された映像を出画するためのものである。また、モニタ２００としては、例えば、ＬＣＤ（Liquid Crystal Display）、有機ＥＬ（Electro Luminescence）ディスプレイ等の各種のディスプレイが好適とされる。
【００２４】
親機２ａの親機マイク２０１および親機スピーカ２０２は、居住者が来訪者との間で通話を成立させるにあたり、通話音声（送話音声、受話音声）を入出力するためのものである。
【００２５】
親機２ａの映像復調回路２０３は、伝送線路Ｌ1aを経由して子機１ａから送信されてくる映像変調信号を映像信号に復調、例えば、ＦＭ復調するためのものである。
【００２６】
親機２ａの同期分離回路２０４は、映像復調回路２０３を経由して復調された映像信号から水平同期信号を分離するためのものである。
【００２７】
親機２ａの親機マイクアンプ２０５は、親機マイク２０１に入力された通話音声（送話音声）であり電気信号に信号処理された親機音声信号を増幅するためのものである。
【００２８】
親機２ａの親機スピーカアンプ２０６は、親機スピーカ２０２から出力させる通話音声（受話音声）であり親機音声復調回路２０７および親機フィルタ２０８を順次経由して送信されてくる子機音声信号を増幅するためのものである。
【００２９】
親機２ａの親機音声復調回路２０７は、伝送線路Ｌ1a、親機Ｉ／Ｆ２０９を経由して子機１ａから送信されてくる子機音声変調信号のＤＳＢ変調波と同期分離回路２０４を経由して分離された水平同期信号とを掛け算処理し、当該子機音声変調信号をダイレクト・コンバージョン方式で復調するためのものである。
【００３０】
親機２ａの親機フィルタ２０８は、親機音声復調回路２０７を経由して復調された出力信号の（不要帯域である）高周波成分を除去して子機音声信号を生成するためのものである。
【００３１】
親機２ａの親機Ｉ／Ｆ２０９は、伝送線路Ｌ1aから映像復調回路２０３への映像変調信号の伝送ライン、親機マイクアンプ２０５から伝送線路Ｌ1aへの親機音声信号の伝送ライン、伝送線路Ｌ1aから親機音声復調回路２０７への子機音声変調信号の伝送ラインをそれぞれ形成するためのものである。
【００３２】
このように構成された本発明の第１の実施例によるテレビドアホン装置において、以下、具体的な動作について説明する。
【００３３】
図１に示す子機１ａの呼出機能が能動となった場合において、子機１ａの映像変調回路１０３は、カメラ１００にて撮像された映像、例えば、呼出機能を能動にした来訪者の映像や住戸玄関先の周囲近傍の映像であり電気信号に信号処理された映像信号を映像変調信号に変調（ＦＭ変調）する。この映像変調信号は、映像変調回路１０３から子機Ｉ／Ｆ１０７、伝送線路Ｌ1a、親機２ａの親機Ｉ／Ｆ２０９を経由して映像復調回路２０３に伝送される。また、カメラ１００は、映像信号を映像変調回路１０３に送出するばかりでなく、当該映像信号から水平同期信号を分離して子機音声変調回路１０６に送出する。
【００３４】
親機２の映像復調回路２０３は、伝送線路Ｌ1aを経由して子機１ａから送信されてきた映像変調信号を映像信号に復調（ＦＭ復調）してモニタ２００および同期分離回路２０４にそれぞれ送出することにより、子機１ａのカメラ１００にて撮像された映像、例えば、呼出機能を能動にした来訪者の映像や住戸玄関先の周囲近傍の映像を、モニタ２００に出画させることができる。また、同期分離回路２０４は、映像復調回路２０３を経由して復調（ＦＭ復調）された映像信号から水平同期信号を分離して親機音声復調回路２０７に送出する。
【００３５】
次に、子機１ａカメラ１００にて撮像された映像が親機２ａのモニタ２００に出画されている場合において、応答機能を能動にした居住者によって親機マイク２０１に入力された通話音声（送話音声）であり電気信号に信号処理された親機音声信号は、親機マイクアンプ２０５を経由して増幅された後、親機Ｉ／Ｆ２０９、伝送線路Ｌ1a、子機１ａの子機Ｉ／Ｆ１０７を経由して子機スピーカアンプ１０５にベースバンド方式で伝送される。
【００３６】
子機１ａの子機スピーカアンプ１０５は、伝送線路Ｌ1aを経由して親機２ａからベースバンド方式で送信されてきた親機音声信号を増幅して子機スピーカ１０２に送出することにより、居住者による通話音声を受話音声として、子機スピーカ１０２から出力させることができる。
【００３７】
一方、来訪者によって子機１ａの子機マイク１０１に入力された通話音声（送話音声）であり電気信号に信号処理された子機音声信号は、子機マイクアンプ１０４を経由して増幅された後、子機音声変調回路１０６に送出される。
【００３８】
子機１ａの子機音声変調回路１０６は、子機マイクアンプ１０４を経由して増幅された子機音声信号とカメラ１００からの水平同期信号とを掛け算処理し、当該水平同期信号をキャリアとしたＤＳＢ変調波で、子機音声信号を子機音声変調信号に変調する。この子機音声変調信号は、子機音声変調回路１０６から子機Ｉ／Ｆ１０７、伝送線路Ｌ1a、親機２ａの親機Ｉ／Ｆ２０９を経由して、親機音声復調回路２０７にＤＳＢ変調して伝送される。
【００３９】
親機２ａの親機音声復調回路２０７は、伝送線路Ｌ1aを経由して子機１ａからＤＳＢ変調して送信されてきた子機音声変調信号と同期分離回路２０４を経由して映像信号から分離された水平同期信号とを掛け算処理し、当該子機音声変調信号をダイレクト・コンバージョン方式で復調させた後、親機フィルタ２０８に送出する。
【００４０】
親機２ａの親機フィルタ２０８は、親機音声復調回路２０７を経由して復調された出力信号の不要帯域である例えば、高周波成分を除去させた子機音声信号を生成して親機スピーカアンプ２０６に送出する。
【００４１】
親機２ａの親機スピーカアンプ２０６は、親機フィルタ２０８を経由して高周波成分が除去された子機音声信号を増幅して親機スピーカ２０２に送出することにより、来訪者による通話音声を受話音声として、親機スピーカ２０２から出力させることができる。
【００４２】
前述までの説明から明らかなように、本発明の第１の実施例によれば、カメラ１００を有する子機１ａとモニタ２００を有する親機２ａとの間で音声信号を送受信させて通話を行うにあたり、子機１ａの子機マイク１０１に入力された子機音声信号および親機２ａの親機マイク２０１に入力された親機音声信号のうち、子機音声信号のみカメラ１００にて撮像された映像信号の水平同期信号をキャリアとしたＤＳＢ変調波を親機２ａへ送信する一方、親機音声信号はベースバンド方式により子機１ａへ送信されるため、親機スピーカ２０２から親機マイク２０１への子機音声信号の電気的な帰還量が軽減されてハウリング特性が向上し、良好な通話品質を確保することができる。
【００４３】
また、子機１ａからＤＳＢ変調して送信されてくる子機音声変調信号を親機２ａにて復調するにあたり、この復調はダイレクト・コンバージョン方式を使用して行われるため、ＤＳＢ変調波の復調の際に必要とされるキャリア再生回路が不要となり、回路構成を簡易化することができる。
【００４４】
次に、前述までの第１の実施例と同様な効果を奏する別途のテレビドアホン装置について、以下、本発明の第２の実施例によるテレビドアホン装置として図面を参照して説明する。なお、第２の実施例の構成を説明するにあたり、第１の実施例と同様な作用を有する構成各部／回路については、それぞれ同一の符号を付与して説明は省略するものとする。
【００４５】
図２は、本発明の第２の実施例によるテレビドアホン装置の具体的な構成を示すブロック図である。
【００４６】
図２に示すテレビドアホン装置には、住戸外、例えば、住戸玄関に設置された子機１ｂと、伝送線路Ｌ1bを経由して子機１ｂに接続される住戸内に設置された親機２ｂとが設けられている。
【００４７】
また、親機２ｂには、モニタ２００、親機マイク２０１、親機スピーカ２０２、映像復調回路２０３、同期分離回路２０４、親機マイクアンプ２０５、親機スピーカアンプ２０６、音声変調回路（以下、親機音声変調回路という。）２１０、親機Ｉ／Ｆ２１１が備えられている。
【００４８】
なお、親機２ｂは、第１の実施例に適用された親機２ａと同様、前述の構成各部／回路の他に、通常、来訪者からの呼び出しを居住者に報知するための呼出報知機能（図示せず。）と、この呼び出しを確認した居住者が応答するための応答機能（図示せず。）と、商用電源（ＡＣ１００Ｖ）を整流／平滑させた直流電源を生成し、当該親機の構成各部／回路および子機１ｂの構成各部／回路にそれぞれ電源供給するための電源機能（図示せず。）とを有している。
【００４９】
この親機２ｂにおいて、親機音声変調回路２１０は、親機マイク２０１に入力され、親機マイクアンプ２０５を経由して増幅された通話音声（送話音声）である親機音声信号と同期分離回路２０４を経由して映像信号から分離された水平同期信号とを掛け算処理し、当該水平同期信号をキャリアとしたＤＳＢ変調波で、親機音声信号を親機音声変調信号に変調するためのものである。
【００５０】
親機２ｂの親機Ｉ／Ｆ２１１は、伝送線路Ｌ1bから映像復調回路２０３への映像変調信号の伝送ライン、伝送線路Ｌ1bから親機スピーカアンプ２０６への子機音声信号の伝送ライン、親機音声変調回路２１０から伝送線路Ｌ1bへの親機音声変調信号の伝送ラインをそれぞれ形成するためのものである。
【００５１】
また、子機１ｂには、カメラ１００、子機マイク１０１、子機スピーカ１０２、映像変調回路１０３、子機マイクアンプ１０４、子機スピーカアンプ１０８、音声復調回路（以下、子機音声復調回路という。）１０９、フィルタ（以下、子機フィルタという。）１１０、子機Ｉ／Ｆ１１１が備えられている。
【００５２】
なお、子機１ｂは、第１の実施例に適用された子機１ａと同様、前述の構成各部／回路の他に、通常、住戸玄関に居る人物、例えば、来訪者が住戸内に在室中の居住者を呼び出すための呼出機能（図示せず。）と、親機２ｂから給電されてくる直流電源を受電し、待受電源または動作電源として当該子機の構成各部／回路にそれぞれ電源供給するための電源機能（図示せず。）とを有している。
【００５３】
この子機１ｂにおいて、子機スピーカアンプ１０８は、子機スピーカ１０２から出力させる通話音声（受話音声）であり子機音声復調回路１０９および子機フィルタ１１０を順次経由して送信されてくる親機音声信号を増幅するためのものである。
【００５４】
子機１ｂの子機音声復調回路１０９は、伝送線路Ｌ1bを経由して親機２ｂから送信されてくる親機音声変調信号のＤＳＢ変調波とカメラ１００にて撮像された映像である映像信号から分離した水平同期信号とを掛け算処理し、当該親機音声変調信号をダイレクト・コンバージョン方式で復調するためのものである。
【００５５】
子機１ｂの子機フィルタ１１０は、子機音声復調回路１０９を経由して復調された出力信号の（不要帯域である）高周波成分を除去して親機音声信号を生成するためのものである。
【００５６】
子機１ｂの子機Ｉ／Ｆ１１１は、映像変調回路１０３から伝送線路Ｌ1bへの映像変調信号の伝送ライン、子機マイクアンプ１０４から伝送線路Ｌ1bへの子機音声信号の伝送ライン、伝送線路Ｌ1bから子機音声復調回路１０９への親機音声変調信号の伝送ラインをそれぞれ形成するためのものである。
【００５７】
このように構成された本発明の第２の実施例によるテレビドアホン装置において、以下、具体的な動作について説明する。
【００５８】
図２に示す子機１ｂの呼出機能が能動となった場合において、子機１ｂの映像変調回路１０３は、カメラ１００にて撮像された映像、例えば、呼出機能を能動にした来訪者の映像や住戸玄関先の周囲近傍の映像であり電気信号に信号処理された映像信号を映像変調信号に変調（ＦＭ変調）する。この映像変調信号は、映像変調回路１０３から子機Ｉ／Ｆ１１１、伝送線路Ｌ1b、親機２ｂの親機Ｉ／Ｆ２１１を経由して映像復調回路２０３に伝送される。また、カメラ１００は、映像信号を映像変調回路１０３に送出するばかりでなく、当該映像信号から水平同期信号を分離して子機音声復調回路１０９に送出する。
【００５９】
親機２の映像復調回路２０３は、伝送線路Ｌ1bを経由して子機１ｂから送信されてきた映像変調信号を映像信号に復調（ＦＭ復調）してモニタ２００および同期分離回路２０４にそれぞれ送出することにより、子機１ｂのカメラ１００にて撮像された映像、例えば、呼出機能を能動にした来訪者の映像や住戸玄関先の周囲近傍の映像をモニタ２００に出画させることができる。また、同期分離回路２０４は、映像復調回路２０３を経由して復調された映像信号から水平同期信号を分離して親機音声変調回路２１０に送出する。
【００６０】
次に、子機１ｂのカメラ１００にて撮像された映像が親機２ｂのモニタ２００に出画されている場合において、応答機能を能動にした居住者によって親機マイク２０１に入力された通話音声（送話音声）であり電気信号に信号処理された親機音声信号は、親機マイクアンプ２０５を経由して増幅された後、親機音声変調回路２１０に送出される。
【００６１】
親機２ｂの親機音声変調回路２１０は、親機マイクアンプ２０５を経由して増幅された親機音声信号と同期分離回路２０４を経由して映像信号から分離された水平同期信号とを掛け算処理し、当該水平同期信号をキャリアとしたＤＳＢ変調波で、親機音声信号を親機音声変調信号に変調する。この親機音声変調信号は、親機音声変調回路２１０から親機Ｉ／Ｆ２１１、伝送線路Ｌ1b、子機１ｂの子機Ｉ／Ｆ１１１を経由して、子機音声復調回路１０９にＤＳＢ変調して伝送される。
【００６２】
子機１ｂの子機音声復調回路１０９は、伝送線路Ｌ1bを経由して親機２ｂからＤＳＢ変調して送信されてきた親機音声変調信号とカメラ１００からの水平同期信号とを掛け算処理し、親機音声変調信号をダイレクト・コンバージョン方式で復調させた後、子機フィルタ１１０に送出する。
【００６３】
子機１ｂの子機フィルタ１１０は、子機音声復調回路１０９を経由して復調された出力信号の不要帯域、例えば、高周波成分を除去させた親機音声信号を生成して子機スピーカアンプ１０８に送出する。
【００６４】
子機１ｂの子機スピーカアンプ１０８は、子機フィルタ１１０を経由して高周波成分が除去された親機音声信号を増幅して子機スピーカ１０２に送出することにより、居住者による通話音声を受話音声として、子機スピーカ１０２から出力させることができる。
【００６５】
一方、来訪者によって子機１ｂの子機マイク１０１に入力された通話音声（送話音声）であり電気信号に信号処理された子機音声信号は、子機マイクアンプ１０４を経由して増幅された後、子機Ｉ／Ｆ１１１、伝送線路Ｌ1b、親機２ｂの親機Ｉ／Ｆ２１１を経由して親機スピーカアンプ２０６にベースバンド方式で伝送される。
【００６６】
親機２ｂの親機スピーカアンプ２０６は、伝送線路Ｌ1bを経由して子機１ｂからベースバンド方式で送信されてきた子機音声信号を増幅して親機スピーカ２０２に送出することにより、来訪者による通話音声を受話音声として、親機スピーカ２０２から出力させることができる。
【００６７】
前述までの説明から明らかなように、本発明の第２の実施例によれば、カメラ１００を有する子機１ｂとモニタ２００を有する親機２ｂとの音声信号を送受信させて通話を行うにあたり、子機１ｂの子機マイク１０１に入力された子機音声信号および親機２ｂの親機マイク２０１に入力された親機音声信号のうち、親機音声信号のみ同期分離回路２０４からの出力信号であるカメラ１００にて撮像された映像信号の水平同期信号をキャリアとしたＤＳＢ変調波を子機１ｂへ送信する一方、子機音声信号はベースバンド方式により親機２ｂへ送信されるため、子機スピーカ１０２から子機マイク１０１への親機音声信号の電気的な帰還量が軽減されてハウリング特性が向上し、良好な通話品質を確保することができる。
【００６８】
また、親機２ｂからＤＳＢ変調して送信されてくる子機音声変調信号を子機１ｂにて復調するにあたり、この復調はダイレクト・コンバージョン方式を使用して行われるため、ＤＳＢ変調波の復調の際に必要とされるキャリア再生回路が不要となり、回路構成を簡易化することができる。
【００６９】
なお、本発明のテレビドアホン装置においては、音声信号をＤＳＢ変調して伝送させるにあたり、その音声処理機能として第１の実施例によれば、音声変調回路（子機音声変調回路）１０６を子機１ａに、音声復調回路（親機音声復調回路）２０７およびフィルタ（親機フィルタ）２０８を親機２ａにそれぞれ備えた態様を適用し、一方、第２の実施例によれば、音声変調回路（親機音声変調回路）２１０を親機２ｂに、音声復調回路（子機音声復調回路）１０９およびフィルタ（子機フィルタ）１１０を子機１ｂにそれぞれ備えた態様を適用したが、この態様に限定されるものではない。例えば、音声変調回路（子機音声変調回路）１０６、音声復調回路（子機音声復調回路）１０９およびフィルタ（子機フィルタ）１１０をそれぞれ備えた当該子機と、音声復調回路（親機音声復調回路）２０７、フィルタ（親機フィルタ）２０８および音声変調回路（親機音声変調回路）２１０をそれぞれ備えた当該親機とを設けることにより、子機スピーカ１０２から子機マイク１０１への親機音声信号の電気的な帰還量および親機スピーカ２０２から親機マイク１０１への子機音声信号の電気的な帰還量がそれぞれ軽減されてハウリング特性が向上し、より良好な通話品質を確保することができる。
【００７０】
また、本発明のテレビドアホン装置においては、特定の実施の形態をもって説明してきたが、この形態に限定されるものでなく、本発明の効果を奏する限り、これまで知られた如何なる構成のテレビドアホン装置であっても採用できるということはいうまでもないことである。
【図面の簡単な説明】
【００７１】
【図１】本発明の第１の実施例によるテレビドアホン装置の具体的な構成を示すブロック図。
【図２】本発明の第２の実施例によるテレビドアホン装置の具体的な構成を示すブロック図。
【符号の説明】
【００７２】
１ａ、１ｂ……子機
１００……カメラ
１０１……子機マイク
１０２……子機スピーカ
１０３……映像変調回路
１０６……子機音声変調回路
１０９……子機音声復調回路
１１０……子機フィルタ
２ａ、２ｂ……親機
２００……モニタ
２０１……親機マイク
２０２……親機スピーカ
２０３……映像復調回路
２０４……同期分離回路
２０７……親機音声復調回路
２０８……親機フィルタ
２１０……親機音声変調回路
【図１】
2007235411.tif 000003
【図２】
2007235411.tif 000004